(57)【特許請求の範囲】
【請求項１】
巻取側と供給側のインクリボンコアを着脱自在に保持するとともに、インクリボンをインクリボンルートに沿ってガイドするアダプタを用いて、インクリボンを装置に装着するインクリボン装着構造において、
前記アダプタに、前記インクリボンコアを回転自在に保持するインクリボンコア保持手段と、インクリボンルートにインクリボンをガイドするガイド部と、インクリボンとともにアダプタを装置に装着するアダプタ装着手段とを設け、
前記装置に、前記インクリボンに当接するリボンガイドシャフトを設け、
前記アダプタを前記装置に装着した状態において、前記ガイドシャフトは前記ガイド部の溝から突出し、前記ガイド部に代わって前記インクリボンをガイドすることを特徴とするインクリボン装着構造。
【発明の詳細な説明】
【０００１】
【発明の属する技術分野】
本発明は、巻取側と供給側のインクリボンコアを着脱自在に保持するとともに、インクリボンルートを予めガイドするアダプタを用いて、インクリボンを装置に装着するインクリボン装着構造に関する。
【０００２】
【従来の技術】
近年、装置の小型化、かつ、インクリボンの長寿命化、更にランニングコスト低減対応のためインクリボン生地は薄型化傾向にある。
このようなインクリボンは取扱方によって容易に損傷してしまう恐れがあることから、従来よりインクリボンを取り付けた供給側と巻取側のインクリボンコアの両方をアダプタにより保持して装置に装着していた。
【０００３】
図１０は、この種のインクリボン装着構造の従来例を示す平面図、図１１は同従来例のアダプタの構成を示す側面図である。
図において、２０はインクリボンコア、２１は未使用状態のインクリボンである。該インクリボン２１は未使用状態の供給用インクリボンが供給側のインクリボンコア２０に保持され、アダプタ２２に設けたガイド部２２ａ，２２ｂの外側面によりリボンルートをガイドされて先端が巻取側のインクリボンコア２０に固定されている。
【０００４】
２３，２４は装置側に形成したリボンガイドシャフトであり、装置においてリボンルートをガイドする。
２０ａはインクリボンコア２０のフランジ部、２２ｃは該フランジ部２０ａを係止固定するためにアダプタ２２に設けた固定爪であり、該固定爪２２ｃはその解除方向に撓む弾性を有することから、フランジ部２０ａの係止および係止解除を自在とする。また同固定爪２２ｃは先端に傾斜部を有することから、インクリボンコア２０の押し込みにより傾斜部とフランジ部２０ａが干渉し、固定爪２２ｃは逃げて開き、ワンタッチでフランジ部２０ａに掛合する。
【０００５】
図１１の矢印はアダプタ挿入方向である。
以上の構成により、従来は以下の如く作用した。
ます、アダプタ２２において、新しいインクリボン２１が取り付けられた供給側と巻取側のインクリボンコア２０のフランジ部２０ａを、固定爪２２ｃにより係止固定し、ガイド部２２ａおよびガイド部２２ｂによりインクリボンルートを予めガイドする。
【０００６】
この状態のアダプタ２２を、リボンガイドシャフト２３にはガイド部２２ａ、リボンガイドシャフト２４にはガイド部２２ｂを略対応させた位置に持っていき、インクリボン２１を装置の所定位置に装着する。この後、ガイド部２２ａとガイド部２２ｂにあるインクリボンルートを、手により装置側のリボンガイドシャフト２３，２４に移動する。
【０００７】
最後に、アダプタ２２の固定爪２２ｃを手により係止解除方向に撓ませて、フランジ部２０ａと固定爪２２ｃの係止を解除し、インクリボン２１を装置所定位置に残したたままアダプタ２２を装置から取り外していた。
【０００８】
【発明が解決しようとする課題】
しかしながら、上述した構成の従来技術によれば、インクリボンコアはアダプタに固定されているので、アダプタを装置から取り忘れると、装置が正常に動作しないという問題がある。
また、取り外したアダプタを次回のインクリボンの取り付けのために、紛失しないように保管しなければならず、管理事項を増やすという問題があった。
【０００９】
本発明は、以上の問題に鑑み、インクリボンの装置装着後もアダプタをインクリボンに付随させておく構成を得て、アダプタ取り忘れによる装置の動作不良を防止するとともに、次回使用までのアダプタの管理を不要とし、装置の保守管理負担を軽減することを目的とする。
【００１０】
上記目的を達成するため、本発明は、巻取側と供給側のインクリボンコアを着脱自在に保持するとともに、インクリボンルートを予めガイドするアダプタを用いて、インクリボンを装置に装着するインクリボン装着構造において、前記アダプタに、前記インクリボンコアを回転自在に保持するインクリボンコア保持手段と、インクリボンルートにインクリボンをガイドするガイド部と、インクリボンとともにアダプタを装置へ装着するアダプタ装着手段を設けたことを特徴とする。
また、前記アダプタ装着手段は、インクリボンを装置に装着した状態において、前記インクリボンコア保持手段とインクリボンコア間に隙間を確保する位置にアダプタを保持することを特徴とする。
【００１１】
また、前記装置にインクリボンルートをガイドする回転自在なリボンガイドシャフトを設け、前記アダプタのガイド部にはアダプタの装置装着状態において前記リボンガイドシャフトの外側面が突出する溝を有することを特徴とする。
さらに、前記アダプタ装着手段は係止爪を備え、前記係止爪を前記装置に設けられたロックブラケットに係合させてアダプタを装置へ装着することを特徴とする。
【００１２】
【発明の実施の形態】
以下、本発明の実施の形態を図面に従って説明する。
図１は本発明の第１の実施の形態を示す斜視図、図２は同実施の形態の要部斜視図、図３は同実施の形態の斜視図、図４は同実施の形態の側面図、図５は同実施の形態の平面図、図６は同実施の形態の要部側面図である。
【００１３】
図において、１は装置、２は該装置１側に植設されたカセットシャフト、３は装置１側に植設された巻取軸、３ａは該巻取軸３に設けられた固定爪、４は巻取軸３に取り付けられた装置側のインクリボンフランジ部、５は装置側に植設されたロックブラケット、５ａは該ロックブラケット５に設けられた穴である。
６は未使用状態のインクリボン、８はインクリボンコア、８ａは該インクリボンコア８のフランジ部である。前記インクリボン６は供給側のインクリボンコア８に保持され、先端が巻取側のインクリボンコア８に固定されている。
【００１４】
７は巻取側と供給側のインクリボンコア８を着脱自在に保持するとともに、インクリボンルートを予めガイドするアダプタである。７ａは該アダプタ７に設けられた保持爪であり、インクリボンコア８のフランジ部８ａを遊びをもって保持する。
ここで、前記保持爪７ａによる遊びは、インクリボンコア８が装置の巻取軸３に装着した時点でＬ１，Ｌ２，Ｌ３，Ｌ４が確保され、かつアダプタ８を横向きや下向きにした場合でも保持爪７ａがフランジ部８ａの保持を維持する範囲内とし、これは保持爪７ａの高さ，位置及び突出量を選択して設定する。
【００１５】
また、前記保持爪７ａはその解除方向に撓む弾性を有し、フランジ部８ａの係止および係止解除を自在とする構成となっている。また同保持爪７ａは先端に傾斜部を有し、インクリボンコア８の押し込みによりこの傾斜部とフランジ部８ａが干渉して保持爪７ａが逃げて開き、ワンタッチでフランジ部８ａに掛合する構成となっている。
【００１６】
７ｂはアダプタ７に設けられた係止爪であり、該係止爪７は装置側の前記ロックブラケット５の穴５ａに係合してアダプタ８の装置に対し予め設定された特定距離を保持する。この特定距離とは、インクリボンコア８が巻取軸３に装着した状態で図６で示す隙間Ｌ３，Ｌ４を確保する距離である。
また、前記係止爪７ｂはその解除方向に撓む弾性を有し、ロックブラケット５の穴５ａとの係止および係止解除を自在とする構成となっている。また同係止爪７ｂは先端に傾斜部を有し、アダプタ７の押し込みによりこの傾斜部とロックブラケット５が干渉して係止爪７ｄが逃げかつガイドされ、ワンタッチでロックブラケット５に掛合する構成となっている。
【００１７】
７ｃ，７ｄはアダプタ７に設けられたガイド部であり、該ガイド部７ｃ，７ｄはインクリボン６のインクリボンルートをガイドするとともに装着位置決めをする。
７ｆはアダプタ７に設けた嵌合穴であり、インクリボンコア８が遊びをもって嵌合するようにインクリボンコアの直径よりやや大きい直径に設定してある。なお、本実施例ではこれら保持爪７ａおよび嵌合穴７ｆが、インクリボンコア８を回転自在に保持するインクリボンコア保持手段を構成する。
【００１８】
９，１０は装置側に植設したリボンガイドシャフトであり、該リボンガイドシャフト９，１０はガイド部７ｃ，７ｄの内側に嵌合し、ガイド部７ｃ，７ｄの位置決めをする。なお、本実施の形態においては、装置においても、インクリボンルートはガイド部７ｃ，７ｄによって案内する。７ｅはアダプタ７に設けられた穴であり、前記リボンガイドシャフト９，１０の先端およびカセットシャフト２に嵌合してアダプタ７の装着位置決めをする。
【００１９】
１１は前記カセットシャフト２に暖嵌した付勢用のコイルスプリングであり、反発によりアダプタ７のみを装置より引き離す。
なお、本実施例においては、カセットシャフト２，リボンガイドシャフト９，リボンガイドシャフト１０，ガイド部７ｃ，ガイド部７ｄ，穴７ｅ，係止爪７ｂ，ロックブラケット５および穴５ａがアダプタを装置へ装着するアダプタ装着手段を構成する。
【００２０】
以上の構成の第１の実施の形態の作用を以下に説明する。
ます、アダプタ７において、新しいインクリボン６が取り付けられた供給側と巻取側のインクリボンコア８を嵌合穴７ｆに嵌合し、フランジ部８ａを４つの保持爪７ａにより保持し、ガイド部７ｃおよびガイド部７ｄによりインクリボンルートを予めガイドする。
【００２１】
次に、オペレータは上記の如くインリボン６を保持したアダプタ７を持って、装置側に植設されたカセットシャフト２には穴７ｅ，リボンガイドシャフト９，１０にはそれぞれガイド部７ｃ，７ｄを略対応させた位置に持っていく。これにより、巻取軸３の先端とインクリボンコア８が概ね対応し、そのままアダプタ７を押し込むことによりインクリボンコア８が巻取軸３に嵌入される。巻取軸３のインクリボンフランジ部４にインクリボンコア８の先端が到達すると、インクリボンコア８のフランジ部８ａを巻取軸３に設けられた固定爪が保持固定するとともに、係止爪７ｂとロックブラケット５の穴５ａに嵌合する。
【００２２】
ここで、オペレータがアダプタ７より手を離すと、アダプタ７はコイルスプリング１１の付勢力により押し戻り、係止爪７ｂがロックブラケット５の穴５ａの端部に突き当たり、アダプタ７の装着方向の位置決め及び固定が完了する。
以上により、インクリボンコア８とアダプタ７が装置に装着した状態で、図６の隙間Ｌ１〜Ｌ４が確保される。
【００２３】
従って、インクリボン６を保持したまま装置に装着されたアダプタ７が、装置におけるインクリボンコア８の回転駆動動作を妨げることは無い。
装置よりインクリボン６を取り外す時は、ロックブラケット５の穴５ａとアダプタ７の係止爪７ｂの掛合を手により解除し、アダプタ７を引っ張って外すことにより、装置よりアダプタ７とインクリボンコア８とインクリボン６を一体に外す。
【００２４】
アダプタ７よりインクリボン６を取り外すときは、インクリボンコア８のフランジ部８ａと保持爪７ａの掛合を手により解除し、インクリボンコア８とインクリボン６を一体に外す。
図７は本発明の第２の実施の形態を示す平面図、図８は同要部正面図、図９は同要部側面図である。
【００２５】
なお、第１の実施の形態と同一の構成は説明を省略し、符号も同一のものを使用する。
図において、１３，１４は装置側に回転自在に植設したリボンガイドシャフトであり、インクリボンルートをガイドする。
１２ｃ，１２ｄはアダプタ１２に設けられたガイド部であり、前記リボンガイドシャフト１３，１４で形成したインクリボンルートにインクリボン６をガイドする。
【００２６】
カイド部１２ｃ，１２ｄの中央部にはアダプタ１２の装置装着状態において前記リボンガイドシャフト１３，１４の外側面が突出する溝１５が開口している。なお、この溝１５は突出するリボンガイドシャフト１３，１４の外側面に対し十分な隙間を確保する大きさに設定し、これによりリボンガイドシャフト１３，１４の自由な回転を維持する。
【００２７】
また、リボンガイドシャフト１３，１４の外側面はガイド部１２ｃ，１２ｄの外側面より外周に位置するように、リボンガイドシャフト１３，１４の直径とガイド部１２ｃ，１２ｄの位置を予め設定する。
リボンガイドシャフト１３，１４の上下端にはテーパをつけてあり、一方ガイド部１２ｃ，１２ｄには外側へ撓む弾性を有し、アダプタ１２の押し込みにより、リボンガイドシャフト１３，１４のテーパとガイド部１２ｃ，１２ｄが干渉してテーパにそってガイド部１２ｃ，１２ｄが撓み、溝１５にリボンガイドシャフト１３，１４がガイドされる構成となっている。
【００２８】
以上の構成の第２の実施の形態によれば、第１の実施の形態と同様にインクリボン６をセットしたアダプタ１２を装置１の所定位置に装着すると、リボンガイドシャフト１３，１４がガイド部１２ｃ，１２ｄの溝１５より、回転自在な状態を保持して突出し、ガイド部１２ｃ，１２ｄによりガイドされていたインクリボン６に当接し、ガイド部１２ｃ，１２ｄに代わってインクリボン６をガイドする。
【００２９】
本実施の形態によれば、回転自在なリボンガイドシャフト１３，１４によりインクリボン６をガイドすることで、インクリボン６に対する負荷が軽減される。
【００３０】
【発明の効果】
以上詳細に説明した如く、本発明によれば、巻取側と供給側のインクリボンコアを着脱自在に保持するとともに、インクリボンルートを予めガイドするアダプタを用いて、インクリボンを装置に装着するインクリボン装着構造において、
前記アダプタに、前記インクリボンコアを回転自在に保持するインクリボンコア保持手段を設けるとともに、インクリボンの装置装着とともに前記アダプタを装置へ装着するアダプタ装着手段を設け、該アダプタ装着手段は、インクリボンが装置に装着した状態において、前記インクリボンコア保持手段とインクリボンコア間に隙間を確保する位置にアダプタを保持するので、インクリボン装置装着時にアダプタを一括して装置に装着することができ、インクリボンの給送を装置装着状態のアダプタから自由とすることができる。
【００３１】
これにより、インクリボンの装置装着後もアダプタをインクリボンに付随させておくことが可能となり、アダプタ取り忘れによる装置の動作不良を防止するとともに、次回使用までのアダプタの管理を不要とし、装置の保守管理負担を軽減するという効果がある。
なお、このとき、装置にインクリボンルートをガイドする回転自在なリボンガイドシャフトを設け、アダプタに該リボンガイドシャフトで形成したインクリボンルートにインクリボンをガイドするガイド部を設け、該カイド部はアダプタの装置装着状態において前記リボンガイドシャフトの外側面が突出する溝を有する構造とすれば、アダプタを装置に装着すると同時に、インクリボンルートがリボンガイドシャフトに自動的に移動することができる。
【００３２】
これにより、インクリボンに触れることなく回転自在なリボンガイドシャフトによりインクリボンをガイドすることが可能となり、インクリボンに対する負荷がより軽減されるという効果を奏する。
【図面の簡単な説明】
【図１】本発明の第１の実施の形態を示す斜視図である。
【図２】本発明の第１の実施の形態の要部斜視図である。
【図３】本発明の第１の実施の形態の斜視図である。
【図４】本発明の第１の実施の形態の側面図である。
【図５】本発明の第１の実施の形態の平面図である。
【図６】本発明の第１の実施の形態の要部側面図である。
【図７】本発明の第２の実施の形態を示す平面図である。
【図８】本発明の第２の実施の形態の要部正面図である。
【図９】本発明の第２の実施の形態の要部側面図である。
【図１０】従来例を示す平面図である。
【図１１】従来例の構成を示す側面図である。
【符号の説明】
１  装置
２  カセットシャフト
３  巻取軸
３ａ  固定爪
４  インクリボンフランジ
５  ロックブラケット
５ａ  穴
６  インクリボン
８  インクリボンコア
８ａ  フランジ部
７  アダプタ
７ａ  保持爪
７ｂ  係止爪
７ｃ，７ｄ  ガイド部
９，１０  リボンガイドシャフト
７ｅ  穴
１１  コイルスプリング
【図２】
0003720978.tif 000002
【図３】
0003720978.tif 000003
【図４】
0003720978.tif 000004
【図５】
0003720978.tif 000005
【図６】
0003720978.tif 000006
【図７】
0003720978.tif 000007
【図８】
0003720978.tif 000008
【図９】
0003720978.tif 000009
【図１０】
0003720978.tif 000010
【図１１】
0003720978.tif 000011
【図１】
0003720978.tif 000012